(57)【要約】      （修正有）【課題】釦主体の正面及び飾体部を避けた状態での取付及び上記カシメ加工用孔無しでの取付を可能にする衣服用釦取付用治具及び当該治具を備えた釦取付用プレスの提供。【解決手段】下部カシメコマ３８嵌着部４９内に留め体をそのカシメ用孔部８が上向きになる状態にして嵌めると共に当該留め体の上に衣服の所定取付個所５を位置させて当該衣服をハンドプレスの台面上に置く。しかるのち、操作レバーの押し下げ操作を行って上下稼働シャフト、上部カシメコマ３６、補助カシメコマ３９及び衣服用釦１を一挙に押下させ、これによりピン状カシメ部７を取付個所５の下面に貫通させると共に下部カシメコマ３８の嵌着部４９内にセットされた留め体のカシメ用孔部８に圧入する。すると、ピン状カシメ部７の円錐形部９は、中空室内で潰れ拡がって当該潰し拡げ部分がカシメ用孔部８の切縁部に引っ掛かり止まり、ピン状カシメ部を抜けない状態にする。    【選択図】図３
0003116437.tif 000002
【実用新案登録請求の範囲】
【請求項１】
釦本体と当該釦本体の裏面に設けられた立ち脚と当該立ち脚の先端部の周囲に設けられた加締部と同立ち脚を所定の取付個所に立ち状態に固着する留め体とにより構成された釦の取付に用いるものであって、プレスの上下可動シャフトの下端に装着する上部カシメコマ及び同プレスの台面に装着する下部カシメコマ並びに上記上部カシメコマに装着する補助カシメコマを有し、上記上部カシメコマはその下面に補助カシメコマを装着することにより上記釦本体の収容空間が形成され、また上記補助カシメコマはその中央部に上記立ち脚の嵌着孔が設けられると共に上記嵌着孔を通る線上で割られた構成にされ、また上記下部カシメコマはその上面に上記留め体をカシメ加工の準備状態に保持する嵌着部が設けられたことを特徴とする釦取付用治具。
【請求項２】
上記釦本体の収容空間は、周壁に囲まれた凹所を有する上部カシメコマと周壁に囲まれた凹所を有する補助カシメコマとの嵌着により構成され、当該嵌着状態は、上部カシメコマの周壁に設けられた輪ゴムを弾機として機能する複数個の押玉により脱落しないようにされ且つ手指により抜き外し可能にされたことを特徴とする請求項１記載の釦取付用治具。
【請求項３】
上記留め体の嵌着部が、同留め体の位置決め機能を果たす出没自在の囲い部材を備えたことを特徴とする請求項１又は２記載の釦取付用治具。
【請求項４】
請求項１〜３のいずれかに記載の釦取付用治具を構成の主要部分として含むことを特徴とする釦取付用プレス。
【請求項５】
上記釦取付用治具の上部カシメコマは、プレス本体部に設けられた上下可動シャフトの下端に着脱自在に螺着され、また同釦取付用治具の下部カシメコマは、同プレス本体部の台面に着脱自在に装着されたことを特徴と請求項４記載の釦取付用プレス。
【考案の詳細な説明】
【技術分野】
【０００１】
本考案は、釦の取付に用いる釦取付用治具及び当該治具を構成部分として備えた釦取付用プレスに関する。具体的には、立ち状態に止着するための取付用立ち脚を釦主部の裏面に有し且つ当該取付用立ち脚の先端部に鍔状の加締部分を有する衣服用釦等を取り付けるのに用いる釦取付用治具及び釦取付用プレスに関する。
【背景技術】
【０００２】
従来、凹凸模様の飾部で化粧した釦（特許文献１）、模造ダイヤ等高級金属飾体やガラス飾体をもつ釦などの、釦主体の正面に亀裂や擦りキズ等損傷を嫌う飾部をもつ系統の衣服用釦は、多くの形式のものが提供され多用されている。しかしながら、この種の衣服用釦の取付には、ハンドプレス等の上部カシメコマ及び下部カシメコマによる衣服への取付作業段階（上記加圧の段階）で、凹凸模様の飾飾、模造ダイヤ等高級飾体やガラス飾体などの亀裂や擦りキズ等損傷を嫌う飾体に誤ってキズをつけてしまい易いという欠点があった。このため、製作には熟練を要していた。また飾体の構造によっては歩留まりの悪さや採算等の面から止む無く実施されていないことも多くあった。
【０００３】
さらには、釦主体の正面中央にカシメ加工を可能にするための比較的大き目のカシメ加工用孔をもった釦（特許文献１、２参照）が提供されている。この種の釦は必ずしも体裁がよいとは言えなく、中には上記カシメ加工用孔を美化、カムフラージュするために同孔内に別の飾部材を追加的に設けた製品（特許文献１参照）が提供されている。この別の飾部材を設ける方法は、生産性やコスト等の点で必ずしも好ましいと言えない弱点があった。
【特許文献１】実公平２−３２０８２号公報
【特許文献２】実公平３−３２２５０号公報
【考案の開示】
【考案が解決しようとする課題】
【０００４】
本考案は、上記のような実情に鑑み、釦主体の正面及び飾体部を避けた状態での取付及び上記カシメ加工用孔無しでの取付を可能にする新規の衣服用釦取付用治具及び当該治具を構成部分として備えた釦取付用プレスを提供することを目的とする。
【課題を解決するための手段】
【０００５】
上記目的を達成するために、請求項１に係る釦取付用治具は、釦本体と当該釦本体の裏面に設けられた立ち脚と当該立ち脚の先端部の周囲に設けられた加締部と同立ち脚を所定の取付個所に立ち状態に固着する留め体とにより構成された釦の取付に用いるものであって、プレスの上下可動シャフトの下端に装着する上部カシメコマ及び同プレスの台面に装着する下部カシメコマ並びに上記上部カシメコマに装着する補助カシメコマを有し、上記上部カシメコマはその下面に補助カシメコマを嵌着することにより上記釦本体の収容空間を形成する凹部が設けられ、また上記補助カシメコマはその中央部に上記立ち脚の嵌着孔が設けられると共に上記嵌着孔を通る線上で割られた構成にされ、また上記下部カシメコマはその上面に上記留め体をカシメ加工の準備状態に抜き外し可能に保持する嵌着部が設けられたことを特徴とする。
【０００６】
したがって、この請求項１に係る釦取付用治具は、後述する実施例において説明するような使い方、すなわちピン状カシメ部７が取付個所５７の下面へ貫通される場合及び同ピン状カシメ部７がカシメ用孔部８に圧入される場合には、操作レバー３３の押し下げ操作力が、補助カシメコマ３９における嵌着孔４２の開口縁部５９の下面を介して加締部２１の上面を加圧する使い方がされるものであるので、亀裂や擦りキズ等損傷を嫌う飾部をもつ釦主部３の正面は、上記収容空間４０内にあって、同操作レバー３３の押し下げ操作力による上記加圧を直に受けることがなく、損傷することがない。
【０００７】
また、請求項２に係る釦取付用治具は、請求項１記載の釦取付用治具に関し、上記釦本体の収容空間は、周壁に囲まれた凹所を有する上部カシメコマと周壁に囲まれた凹所を有する補助カシメコマとの嵌着により構成され、当該嵌着状態は、上部カシメコマの周壁に設けられた輪ゴムを弾機として機能する複数個の押玉により脱落しないようにされ且つ手指により抜き外し可能にされたことを特徴とする。
【０００８】
したがって、釦本体の装着操作は、後述する実施例において説明するように、先ず、上部カシメコマ３６から補助カシメコマ３９を外し、この外した補助カシメコマ３９の分割体４３，４４の分割面に設けられた嵌着孔４２に取付足部材４が嵌った状態及び分割体４３，４４内に釦主部３が嵌った状態及び分割体４３，４４の外に加締部２１及びピン状カシメ部７が露出された状態にして当該分割体４３，４４を合体すると共に当該合体状態の補助カシメコマ３９を上部カシメコマ３６内に戻し嵌めて装填する要領で容易にできる。また、取付完了後には、上部カシメコマ３６を引き上げて補助カシメコマ３９を抜き外し状態にしたのち当該補助カシメコマ３９を分離状態にする要領で上記装填の解消すなわち取付完了の釦から外す操作ができる。
【０００９】
また、請求項３に係る釦取付用治具は、請求項１又は２記載の釦取付用治具に関し、上記留め体の嵌着部が、同留め体の位置決め機能を果たす出没自在の囲い部材を備えたことを特徴とする。
【００１０】
したがって、留め体を嵌着部にいわゆる投げ入れるだけで正しい位置に容易に能率よくセットすることができるのみならず加圧時には囲い部材が位置移動（ズレ）を確実に阻止するので不良品の発生率を抑制できる。
【００１１】
請求項４に係る釦取付用プレスは、請求項１〜３いずれかに記載の釦取付用治具を構成の主要部分として含むことを特徴とする。
【００１２】
したがって、請求項４に係る釦取付用プレスによれば、上記請求項１〜３に係る釦取付用治具において述べた効果を発揮する新規の釦取付用プレスを容易に提供できる。
【００１３】
請求項５に係る釦取付用プレスは、請求項４記載の釦取付用プレスに関し、上記釦取付用治具の上部カシメコマは、プレス本体部に設けられた上下可動シャフトの下端に着脱自在に螺着され、また同釦取付用治具の下部カシメコマは、同プレス本体部の台面に着脱自在に装着されたことを特徴とする。
【００１４】
したがって、プレス本体部に対する釦取付用治具の着脱が容易にでき、たとえば上部カシメコマ若しくは下部カシメコマをサイズ交換するなど必要性が生じた場合には便利である。
【考案の効果】
【００１５】
本考案に係る釦取付用治具及び取付用プレスによれば、釦を衣服等の所定取付個所に取り付ける場合には、これを失敗することなく簡単且つ容易にできる。しかもキズを嫌う飾り部をもつ釦を衣服等の所定の個所に取り付ける場合には、当該取付の段階で飾り部にキズをつけることなく行うことができる。したがって、ダイヤ等高級飾やガラス飾などの亀裂や擦りキズ等損傷を嫌う飾り部を釦主体の正面にもつ系統の釦の提供を可能にする著効を有する。
【００１６】
しかも、衣服に対する取付の場合には、上記ピン状カシメ部における加締部を利用して行う構成であるので、上記従来例において述べたような、釦主体の正面中央にカシメ加工を可能にするための比較的大き目のカシメ加工用孔を設けるような必要性、及び当該カシメ加工用孔を美化、カムフラージュするために同孔内に別の飾部材を追加的に設けるような必要性を完全に解消でき、生産性及びコスト等の点でも好ましい体裁のよい新規な構成からなる釦の提供ができる。
【００１７】
また、本考案に係る釦取付用治具及び釦取付用プレスは、釦本体の収容空間が、周壁に囲まれた凹所を有する上部カシメコマと周壁に囲まれた凹所を有する補助カシメコマとの嵌着により構成され、当該嵌着状態が、上部カシメコマの周壁に設けられた輪ゴムを弾機として機能する複数個の押玉により脱落しないようにされ且つ手指により抜き外し可能にされているので、釦本体の上記したような要領で釦本体の装填及びその解消が簡単且つ容易に手際よくできる。
【００１８】
さらに、上記留め体の嵌着部が、同留め体の位置決め機能を果たす出没自在の囲い部材を備えているので、留め体を嵌着部にいわゆる投げ入れるだけで正しい位置に容易に能率よくセットすることができるのみならず加圧時には囲い部材が位置移動（ズレ）を確実に阻止するので不良品の発生率を抑制できる。
【００１９】
さらに、請求項５に係る釦取付用プレスは、上記釦取付用治具の上部カシメコマが、プレス本体部に設けられた上下可動シャフトの下端に着脱自在に螺着され、また同釦取付用治具の下部カシメコマが、同プレス本体部の台面に着脱自在に装着されているので、プレス本体部に対する釦取付用治具の着脱が容易にでき、たとえば上部カシメコマ若しくは下部カシメコマをサイズ交換するなど必要性が生じた場合には便利である。
【考案を実施するための最良の形態】
【００２０】
先ず、理解を容易にするために、図５に基づいて、本考案に係る衣服用釦取付用治具を使用して取り付ける衣服用釦の一例を説明する。当該衣服用釦１は、所定の向きで取付使用する凹凸飾り模様２を表面に有する中空の金属製釦主部３と、当該釦主部３の裏面中央に連結された取付用立ち脚４と、当該取付用立ち脚４を所定の取付個所５に立ち状態に止着する留め体６とにより構成され、上記取付用立ち脚４の先端面にはピン状カシメ部７が設けられ、また留め体６の内側面の中央には上記ピン状カシメ部７のカシメ用孔部８が設けられて成るものである。
【００２１】
上記ピン状カシメ部７は、先端部に円錐形部９を有し、基端部に鍔状取付部１０を有する金属製の中空細管１１により構成されている。
【００２２】
また、留め体６は、中央にカシメ用孔部８を有し当該カシメ用孔部８の周囲の外面が凹凸面１３にされた円形の内側金属片１４と、当該内側金属片１４の外側に被着された丸底皿形状の当て板兼外側金属片１５とを重ねると共に当該外側金属片１５の外周縁１６により内側金属片１４をカシメ止めることによって構成されており、カシメ用孔部８の内側には上記内側金属片１４と当て板兼外側金属片１５とにより囲まれた、上記円錐形部９が潰れて拡がるための中空室１７が設けられている。
【００２３】
さらに、上記釦主部３に対する取付用立ち脚４の連結は、釦主部３の裏面中央に通孔１９を設けて当該通孔１９に上記取付用立ち脚４を挿入すると共に当該取付用立ち脚４の内端２０を鍔状に拡げて抜けないようにすることにより行われている。よって、釦主部３の裏面と取付個所５の外面との間隔は伸縮しうるようにされ且つ釦主部３は回転可能および揺動可能にされている。なお、釦主部３は、取付用立ち脚４と通孔１９とを角型として回転不能および揺動可能にすることができる。
【００２４】
また、上記取付用立ち脚４の先端面に対するピン状カシメ部７の取付は、当該取付用立ち脚４の先端縁を鍔状に拡げて皿状の加締部２１を形成し、この加締部２１の底部に金属製座板２２を収容すると共に同加締部２１内に上記ピン状カシメ部７の鍔状取付部１０を嵌め合わせてから当該加締部２１の開口縁２３を内側に倒すことにより行われている。
【００２５】
次いで、図１及び図２に基づいて、本考案に係る衣服用釦取付用治具３０を装着されたハンドプレス３１について説明する。すなわち、当該ハンドプレス３１は、本体部３２に軸支された操作レバー３３で押下され、コイルバネ３４で戻される上下可動シャフト３５を有し、当該上下可動シャフト３５の下端には上部カシメコマ３６が螺子部２９により着脱自在に螺着され、上記本体部３２の台面３７には下部カシメコマ３８が落とし込みにより装着され、さらに上記上部カシメコマ３６には補助カシメコマ３９が抜き挿し可能に装着されている。
【００２６】
そして、上記上部カシメコマ３６は、その下面に補助カシメコマ３９を嵌めることにより上記釦主部３の収容空間４０を形成する凹部４１が設けられ、また補助カシメコマ３９は、その中央部に上記取付用立ち脚４の嵌着孔４２が設けられると共に上記嵌着孔４２を通る線上で二つに割られた分割体４３、４４から構成にされている。
【００２７】
また、上記一対の分割体４３、４４は、上記凹部４１に嵌着せれた場合に同凹部４１の開口縁に係合して位置決め状態を確保する張出し縁４５、４６が設けられ、さらに同場合には上部カシメコマ３６の周壁に設けられた輪ゴム４７を弾機として機能する複数個の押玉４８により脱落しないようにされ且つ手指により抜き外し可能にされている。なお、押玉の構造部は、分割体４３、４４を脱落しないようにし且つ手指により抜き外しうるものであればよく、他の構造たとえば吸着構造、バヨネット構造、その他でもよい。
【００２８】
また、上記下部カシメコマ３８は、その上面に上記留め体６をカシメの準備状態に保持する嵌着部４９が設けられている。この嵌着部４９は、上記台面３７に設けられている下部カシメコマ３８の装着孔５０に嵌める有底筒状体５１と、当該有底筒状体５１内に螺子５２により立設された柱部５３と、当該柱部５３の頂面に設けられた加締座部５４と、当該加締座部５４の周囲にあって出没して上記留め体６の位置ズレを阻止する囲い部材５５と、当該囲い部材５５を外力を受けないときには突出した状態に保持する内蔵バネ５６とにより構成されている。なお、この下部カシメコマ３８は、囲い部材５５及び内蔵バネ５６を有しない、加締座部５４を頂面に凹設されただけの単純なものであってもよい。
【００２９】
次に、上記ハンドプレス３１を用いて上記衣服用釦１を衣服の所定の取付個所５に取り付ける手順を説明する（図３及び図４参照）。
【００３０】
先ず、上部カシメコマ３６から補助カシメコマ３９を外し、この外した補助カシメコマ３９の分割体４３，４４の分割面に設けられた嵌着孔４２に衣服用釦１における取付足部材４が嵌った状態及び分割体４３，４４内に釦主部３が嵌った状態及び分割体４３，４４の外に加締部２１及びピン状カシメ部７が露出した状態にして当該分割体４３，４４を合体すると共に当該合体状態の補助カシメコマ３９を上部カシメコマ３６内に戻し嵌める。このようにして嵌めたときには、補助カシメコマ３９は押玉４８により保持されて脱落しなく、また上記釦主部３は収容空間４０内にあって加圧（外圧）を受けない納まり状態になる形状に設計にされている。
【００３１】
そして、上記下部カシメコマ３８の嵌着部４９内に上記留め体６をそのカシメ用孔部８が上向きになる状態にして嵌めると共に当該留め体６の上に衣服の所定取付個所５を位置させて当該衣服をハンドプレス３１の台面３７の上に置いて準備する（図３参照）。
【００３２】
しかるのち、操作レバー３３の押し下げ操作を行って上下稼動シャフト３５、上部カシメコマ３６、補助カシメコマ３９及び衣服用釦１を一挙に押下させ、これによりピン状カシメ部７を取付個所５の下面に貫通させると共に下部カシメコマ３８の嵌着部４９内にセットされた留め体６のカシメ用孔部８に圧入する。すると、ピン状カシメ部７の円錐形部９は、中空室１７内で潰れ拡がって当該潰し拡げ部分５８がカシメ用孔部８の切縁部に引っ掛かり止まり、ピン状カシメ部７を抜けない状態にすることができる。
【００３３】
なお、上記カシメ用孔部８に対するピン状カシメ部７の圧入の場合、上記囲い部材５５は、内蔵バネ５６の作用力に抗して没入して自動的に退避状態を呈するものであり、上記圧入の邪魔をしないようにされてある。
【００３４】
また、ピン状カシメ部７が取付個所５の下面へ貫通される場合及び同ピン状カシメ部７がカシメ用孔部８に圧入される場合には、操作レバー３３の押し下げ操作力が、補助カシメコマ３９における嵌着孔４２の開口縁部５９の下面を介して加締部２１の上面を加圧する。したがって、亀裂や擦りキズ等損傷を嫌う飾部をもつ釦主部３の正面は、上記収容空間４０内にあって、同操作レバー３３の押し下げ操作力による加圧を直に受けることがなく、損傷から回避される。
【００３５】
なお、図６は、本考案に係る釦取付用治具及び釦取付用プレスが、上記衣服用釦１と異なる構造の釦にも支障なく対応できることを示している。すなわち、上記した従来例のカシメ加工用孔６０をもった釦６１を衣服に取り付けている状態を示す。
【００３６】
また、図７は、留め体６２の裏面にピン状カシメ部６３が設けられ、取付用立ち脚６４の先端面に締付用弾性爪６７付きのカシメ用孔部６５が設けられた形式の釦６６を取り付けるのに使用している例を示している。なお、この図７において示す上記留め体６２の構成及び釦６６側に設けたカシメ用孔部６５の構成は、図１〜図６に示すものとは異なっているが、本考案の要点では無いのでここではその詳細な説明は省略することにする。
【００３７】
また、図７にあって符号６８により示す凹所は、同図中仮想線６９で示すような釦７０すなわち、釦主部７１が小ぶりで取付用立ち脚７２が短い構成の釦７０にも使用できるようにするために設けられたものである。つまり、収容空間４０の形状に工夫を施すことにより、ワンセットの釦取付用治具で、サイズや形の異なる複数種類の釦の取付に対応できるようになるので便利であるのみならず治具の交換頻度を少なくできて作業性のアップが期待できる。なお、同図中符号７３は、背の高い飾り体が釦主部７１の頂面に設けられた釦の取付にも対応しうるようにするための逃げ部である。
【００３８】
本考案は、基本的には、釦本体の裏面にある立ち脚の先端に設けられた加締部の外面と留め体の外面とに互いに接近する方向への外圧を同時に加えて釦を衣服等の所定個所に取り付ける構成のものであればよく、たとえば、上記上部カシメコマはその下面に上記留め体をカシメ加工の準備状態に保持する嵌着部が設けられ、また上記下部カシメコマはその上面に補助カシメコマを嵌着することにより上記釦本体の収容空間を形成する凹部が設けられ、また補助カシメコマはその中央部に上記立ち脚の嵌着孔が設けられると共に上記嵌着孔を通る線上で割られた構成にされた形式でも実施でき、また上記基本的構成を満たすものであれば、上記釦主部３の収容空間４０を大きくも小さくもできるので、大きい釦用、小さい釦用、あるいは大小兼用のものを容易に実施できる。さらには、上記ピン状カシメ部を形成する中空細管は、カシメ加工によって先端部（円錐形部相当部）が折れ倒れたり、潰れ拡がったりしてカシメ用孔部の縁に引っ掛かり止って抜けないようになる類のものであれば足り、無垢の細棒であっても実施できる。
【００３９】
ちなみに、本考案に係る釦取付用治具及び釦取付用プレスは、ダイヤ等高級飾やガラス飾などの亀裂や擦りキズ等損傷を嫌う飾り部を有しない釦の取付にも利用できる。この場合には、当該釦の正面にキズをつける危惧がないので、良品の提供に適している。
【図面の簡単な説明】
【００４０】
【図１】釦取付用治具を示す分解断面図である。
【図２】釦取付用プレスを示す側面図である。
【図３】釦取付用治具に釦をセットする過程を示す断面図である。
【図４】釦取付用治具による釦の取付完了直後の状態を示す断面図である。
【図５】衣服に取付けられた釦を示す拡大断面図である。
【図６】別異の衣服用釦の取付に使用している形態を示す断面図である。
【図７】別異の釦取付用治具を示す断面図である。
【符号の説明】
【００４１】
１  衣服用釦
２  飾り模様
３  釦主部
４  取付用立ち脚
５  取付個所
６  留め体
７  ピン状カシメ部
８  カシメ用孔部
９  円錐形部
１０  鍔状取付部
１１  中空細管
１３  凹凸面
１４  内側金属片
１５  外側金属片
１６  外周縁
１７  中空室
１９  通孔
２０  内端
２１  加締部
２２  金属製座板
２３  開口縁
２９  裸子部
３０  取付用治具
３１  ハンドプレス
３２  本体部
３３  操作レバー
３４  コイルバネ
３５  上下可動シャフト
３６  上部カシメコマ
３７  台面
３８  下部カシメコマ
３９  補助カシメコマ
４０  収容空間
４１  凹部
４２  嵌着孔
４３、４４  分割体
４５、４６  張出し縁
４７  輪ゴム
４８  押玉
４９  嵌着部
５０  装着孔
５１  有底筒状体
５２  螺子
５３  柱部
５４  加締座部
５５  囲い部材
５６  内蔵バネ
５８  潰し拡げ部分
５９  開口縁部
６０  カシメ加工孔
６１  従来例の釦
６２  留め体
６３  ピン状カシメ部
６４  取付用立ち脚
６５  カシメ用孔部
６６  釦
６７  締付用弾性爪
６８  凹所
６９  仮想線
７０  釦
７１  釦主部
７２  取付用立ち脚
７３  逃げ部
【図１】
0003116437.tif 000003
【図２】
0003116437.tif 000004
【図３】
0003116437.tif 000005
【図４】
0003116437.tif 000006
【図５】
0003116437.tif 000007
【図６】
0003116437.tif 000008
【図７】
0003116437.tif 000009